(57)【要約】【課題】ＯＳＤ設定画面を透明化して消去した後、設定画面の再表示を忘れていた場合でも、ユーザーによる再設定を確実に行えるようにする。【解決手段】操作部は、ＯＳＤ設定画面を消去するための消去ボタンを有している。設定画面での設定の途中で消去ボタンが押されると、操作部で設定された設定情報を保持したまま、ＯＳＤ設定画面を透明にすることにより不可視化する。その後、消去ボタンが再度押されると、その時点で消去直前のＯＳＤ設定画面をモニタに表示させる。また、消去ボタンが再度押されない場合は、消去ボタン以外のいずれかのボタンが押された時点で、消去直前のＯＳＤ設定画面をモニタに表示させる。【選択図】図４
2008294868.tif 000002
【特許請求の範囲】
【請求項１】
放送信号から所定チャンネルの信号を取り出すチューナと、
前記チューナで取り出された信号を処理する信号処理部と、
前記信号処理部で処理された映像信号に基づいて映像を表示するモニタと、
前記モニタに前記映像と重畳されて表示されるＯＳＤ（On Screen Display）設定画面を生成するＯＳＤ処理部と、
前記ＯＳＤ設定画面で設定を行うための操作部と、
前記操作部の操作に基づいて前記モニタの表示を制御する制御部と、
を備えた映像機器において、
前記操作部は、前記ＯＳＤ設定画面を消去するための消去ボタンを有し、
前記制御部は、前記設定画面での設定の途中で前記消去ボタンが操作されると、前記操作部で設定された設定情報を保持したまま、前記ＯＳＤ設定画面を透明にすることにより不可視化し、その後、前記操作部で所定の操作が行われた場合は、その時点で消去直前のＯＳＤ設定画面を前記モニタに表示させ、前記操作部で所定の操作が行われない場合は、所定のタイミングに至った時点で消去直前のＯＳＤ設定画面を前記モニタに表示させることを特徴とする映像機器。
【請求項２】
請求項１に記載の映像機器において、
前記所定の操作は、前記消去ボタンの再度の操作であることを特徴とする映像機器。
【請求項３】
請求項１に記載の映像機器において、
前記所定のタイミングは、前記操作部における前記所定の操作を行うためのボタン以外のいずれかのボタンが操作された時点であることを特徴とする映像機器。
【請求項４】
請求項１に記載の映像機器において、
前記所定のタイミングは、前記ＯＳＤ設定画面が消去されてから一定時間が経過した時点であることを特徴とする映像機器。
【請求項５】
請求項１に記載の映像機器において、
前記所定のタイミングは、前記ＯＳＤ設定画面が消去された後に放送内容に変更があった時点であることを特徴とする映像機器。
【請求項６】
請求項１ないし請求項５のいずれかに記載の映像機器において、
前記所定のタイミングに至った時点で、設定が中断したままであることの警告とともに、設定を続行するか否かの選択を促す表示を行い、設定の続行が選択された場合に、消去直前のＯＳＤ設定画面を前記モニタに表示させることを特徴とする映像機器。
【請求項７】
放送信号から所定チャンネルの信号を取り出すチューナと、
前記チューナで取り出された信号を処理する信号処理部と、
前記信号処理部で処理された映像信号に基づいて映像を表示するモニタと、
前記モニタに前記映像と重畳されて表示されるＯＳＤ（On Screen Display）設定画面を生成するＯＳＤ処理部と、
前記ＯＳＤ設定画面で設定を行うための操作部と、
前記操作部の操作に基づいて前記モニタの表示を制御する制御部と、
を備えた映像機器において、
前記操作部は、前記ＯＳＤ設定画面を消去するための消去ボタンを有し、
前記制御部は、前記設定画面での設定の途中で前記消去ボタンが操作されると、前記ＯＳＤ設定画面を透明にして不可視化し、その後、前記消去ボタンが再度操作された場合は、その時点で消去直前のＯＳＤ設定画面を前記モニタに表示させ、前記消去ボタンが再度操作されない場合は、前記消去ボタン以外のいずれかのボタンが操作された時点、前記ＯＳＤ設定画面が消去されてから一定時間が経過した時点、または前記ＯＳＤ設定画面が消去された後に放送内容に変更があった時点で、設定が中断したままであることの警告とともに、設定を続行するか否かの選択を促す表示を行い、設定の続行が選択された場合に、消去直前のＯＳＤ設定画面を前記モニタに表示させることを特徴とする映像機器。
【発明の詳細な説明】
【技術分野】
【０００１】
本発明は、テレビジョン受像機などの映像機器に関し、特に、モニタに設定画面がＯＳＤ（On Screen Display）により表示される映像機器に関する。
【背景技術】
【０００２】
テレビジョン受像機（以下、「テレビ」という。）においては、番組の視聴中でもユーザーがメニュー項目を設定できるように、主映像に重ねて設定画面がＯＳＤ表示されるようになっている。ユーザーは、この設定画面においてリモコンを操作して、画面の明るさ、コントラスト、色合い、言語、チャンネル、タイマー予約録画など各種の設定を行い、また設定の変更を行う。
【０００３】
ところで、このようなＯＳＤにより表示される設定画面（以下、「ＯＳＤ設定画面」という。）は、主映像に重ねて表示されるものであるため、ＯＳＤ設定画面が表示されている間は、主映像の一部が隠れて見えなくなることは避けられない。このため、主映像が部分的に隠れても差し支えない場合は問題ないが、主映像がどうしても見たいシーンである場合は、主映像の一部がＯＳＤ設定画面で隠れることはユーザーからみて不都合である。
【０００４】
そこで、設定の途中で見たいシーンが現われた場合は、リモコンを操作して一旦ＯＳＤ設定画面を消去することにより、設定画面に邪魔されずに所望のシーンを見ることができる。しかしながら、従来のテレビでは、リモコンの操作によりＯＳＤ設定画面を消去すると、それまでの設定情報も同時に消去されてしまうので、見たいシーンが終了した後に再設定を行おうとした場合、最初から設定をやり直さねばならず、ユーザーにとっては大変面倒である。
【０００５】
この対策として、設定情報はそのままにして、ＯＳＤ設定画面を透明にして（すなわち透過度を１００％にして）不可視化することが考えられる。後掲の特許文献１〜３には、ＯＳＤ表示の透明化に関して記載されている。特許文献１では、ＯＳＤ設定画面のサイズ・位置・透過率をユーザー所望のレベルに自由に変更可能として、視聴中の番組映像が妨げられないようにした映像機器が開示されている。特許文献２では、視聴中の番組映像と、ＥＰＧ（Electronic Program Guide：電子番組表）のような情報表示画面とを重畳表示する際、視認性の要求される情報は番組映像に対して透過することなく表示し、その他の情報は番組映像に対して透過させて表示することで、視聴中の番組の視認性を保ちつつ表示情報の視認性を向上させた放送受信装置が開示されている。特許文献３では、ＯＳＤの表示領域における主画像の輝度に応じて、ＯＳＤの透過度を変化させることにより、主画像の輝度に影響されることなくＯＳＤの視認性を確保するようにしたテレビ受信機が開示されている。
【０００６】
【特許文献１】特開２００６−１５７６８４号公報
【特許文献２】特開２００４−１５１９５号公報
【特許文献３】特開２００３−１２５３０７号公報
【発明の開示】
【発明が解決しようとする課題】
【０００７】
設定情報を保持したままＯＳＤの透明化処理を行えば、リモコン操作によりＯＳＤ設定画面を不可視化（消去）して、見たいシーンが終了した後に設定画面を再び表示して再設定を行う場合、最初から設定をやり直す必要がないので、ユーザーの手間を省くことができる。
【０００８】
しかしながら、ＯＳＤ設定画面を一旦消去して所望のシーンを見た後に、リモコンを操作して設定画面を再表示するのを忘れると、ユーザーがそれに気付くまで設定は中断されたままとなって、設定の変更が行われないことになる。また、ユーザーによっては、設定が中断状態であるのに、設定が終了したと勘違いして、設定内容が反映されていないことに不審を抱く場合も生じる。このような問題に対して、上述した特許文献１〜３には有効な解決策が提示されていない。
【０００９】
本発明は、上述した問題点に鑑み、ＯＳＤ設定画面を透明化して消去した後、設定画面の再表示を忘れていた場合でも、ユーザーによる再設定を確実に行うことが可能な映像機器を提供することを目的としている。
【課題を解決するための手段】
【００１０】
本発明に係る映像機器は、放送信号から所定チャンネルの信号を取り出すチューナと、このチューナで取り出された信号を処理する信号処理部と、この信号処理部で処理された映像信号に基づいて映像を表示するモニタと、このモニタに前記映像と重畳されて表示されるＯＳＤ（On Screen Display）設定画面を生成するＯＳＤ処理部と、このＯＳＤ設定画面で設定を行うための操作部と、この操作部の操作に基づいてモニタの表示を制御する制御部とを備えた映像機器であて、操作部は、ＯＳＤ設定画面を消去するための消去ボタンを有している。制御部は、設定画面での設定の途中で消去ボタンが操作されると、操作部で設定された設定情報を保持したまま、ＯＳＤ設定画面を透明にすることにより不可視化する。その後、操作部で所定の操作が行われた場合は、その時点で消去直前のＯＳＤ設定画面をモニタに表示させる。また、操作部で所定の操作が行われない場合は、所定のタイミングに至った時点で消去直前のＯＳＤ設定画面をモニタに表示させる。
【００１１】
このようにすると、設定途中で消去ボタンが操作された場合、ＯＳＤ設定画面が透明になって主映像が設定画面で邪魔されずに表示され、その後の所定の操作により、消去直前のＯＳＤ設定画面がモニタに表示されるので、ユーザーは最初から設定をやり直す必要がなく、煩わしさが解消される。また、ＯＳＤ設定画面を一旦消去したことを忘れていた場合でも、所定のタイミングに至った時点で、消去直前のＯＳＤ設定画面がモニタに表示されるので、ユーザーは再設定を確実に行うことができる。
【００１２】
消去直前のＯＳＤ設定画面をモニタに表示させるための所定の操作としては、例えば消去ボタンを再度操作することが考えられる。これによると、消去ボタンを１回操作してＯＳＤ設定画面を消去した後、消去ボタンをもう１回操作することで、消去する直前の設定画面がモニタに表示される。
【００１３】
所定の操作が行われない場合に、消去直前のＯＳＤ設定画面をモニタに表示させる所定のタイミングとしては、例えば、消去ボタン以外のいずれかのボタンが操作された時点が考えられる。これによると、ＯＳＤ設定画面を一旦消去したことを忘れていても、次のボタン操作時（例えばチャンネル切替え時）に、必ず設定画面が再表示される。
【００１４】
また、上記所定のタイミングは、ＯＳＤ設定画面が消去されてから一定時間が経過した時点であってもよい。これによると、ＯＳＤ設定画面を一旦消去したことを忘れていた場合、その後に何も操作がされなくても、一定時間が経つと自動的に設定画面が再表示される。
【００１５】
また、上記所定のタイミングは、ＯＳＤ設定画面が消去された後に放送内容に変更があった時点であってもよい。これによると、ＯＳＤ設定画面を一旦消去したことを忘れていても、例えば放送内容がコマーシャルに移行したような際に、自動的に設定画面が再表示される。
【００１６】
本発明では、上記のような所定のタイミングに至った時点で、設定が中断したままであることの警告とともに、設定を続行するか否かの選択を促す表示を行い、設定の続行が選択された場合に、消去直前のＯＳＤ設定画面をモニタに表示させるようにしてもよい。これによると、設定が中断されていることをユーザーに確実に知らせることができるとともに、ユーザーでの設定続行の要否の選択により、その後の処理を円滑に行うことができる。
【発明の効果】
【００１７】
本発明によれば、ＯＳＤ設定画面を透明化して消去した後、設定画面の再表示を忘れていた場合でも、ユーザーによる再設定を確実に行うことが可能な映像機器を提供することができる。
【発明を実施するための最良の形態】
【００１８】
以下、本発明の実施形態につき、図面を参照しながら説明する。
【００１９】
図１は、本発明に係るテレビジョン受像機（以下、「テレビ」という。）１００の一例を示すブロック図である。図１の構成は、以下で説明する各実施形態に共通のものである。
【００２０】
１は放送信号を受信するアンテナ、２はアンテナ１が受信した放送信号から所定チャンネルの信号を取り出すチューナである。３はチューナ２で取り出された信号を処理する信号処理部、４は信号処理部３から出力される映像信号に基づいてＬＣＤ（液晶ディスプレイ）からなるモニタ５を駆動するための信号を生成するＬＣＤ駆動部、５は映像を表示するモニタ、６は信号処理部３で処理された音声信号に対して検波や増幅などの処理を行う音声回路、７は音声回路６の出力に基づいて音声を出力するスピーカである。ここでは、モニタ５としてＬＣＤを用いた例を挙げているが、ＬＣＤに代えてＣＲＴ（陰極線管）やＰＤＰ（プラズマディスプレイパネル）等のモニタを用いることもできる。
【００２１】
８はテレビ１００の動作を制御するマイクロコンピュータ（以下、「マイコン」という。）、９はリモコン１５から送信される信号を受信するリモコン受信部、１０はＲＯＭやＲＡＭ等から構成されるメモリ、１１はテレビ１００の本体に設けられるＬＥＤ（発光ダイオード）等からなる表示部、１２は同じくテレビ１００の本体に設けられる操作部、１３は各部に電源を供給する電源部、１４は信号処理部３の映像信号と重畳されてモニタ５に表示されるＯＳＤ（On Screen Display）設定画面を生成するＯＳＤ処理部である。
【００２２】
以上において、マイコン８およびメモリ１０は、本発明における制御部の一実施形態を構成し、リモコン１５および操作部１２は、本発明における操作部の一実施形態を構成している。
【００２３】
なお、図１にはテレビ単体の構成しか示されていないが、テレビ１００は、例えばＤＶＤ（Digital Versatile Disk）デッキやＶＣＲ（Video Cassette Recorder）デッキが内蔵された複合型テレビであってもよい。この場合は、図１の構成に、ＤＶＤ記録再生部を含むＤＶＤブロックと、ビデオテープ記録再生部を含むＶＣＲブロックとが追加される。
【００２４】
図２は、リモコン１５の一例を示した外観図である。この図２の構成も、各実施形態に共通のものである。５１はテレビ１００の電源をオンオフするための電源ボタン、５２はテレビ１００のモニタ５にＯＳＤ設定画面（後述）の初期画面であるメニュー画面を表示するためのメニューボタン、５３はＯＳＤ設定画面を消去するための消去ボタン、５４はメニュー画面において所定の項目を選択するためのカーソルボタン、５５はカーソルボタン５４で選択された項目を決定するための決定ボタン、５６は数値ボタンである。リモコン１５には、これら以外にも各種のボタンが設けられているが、本発明には直接関係しないことから、他のボタンの説明は省略する。
【００２５】
次に、上述したテレビ１００におけるＯＳＤ設定画面の消去および再表示の手順について、図３Ａ〜図３Ｉを参照しながら説明する。
【００２６】
図３Ａは、テレビ１００のモニタ５の画面に、放送番組の主映像５ａが表示されている状態を示している。この状態で、リモコン１５のメニューボタン５２（図２）を押すと、モニタ５の画面に主映像５ａと重畳して、ＯＳＤ設定画面の初期画面であるメインメニュー画面２１が表示される。このメインメニュー画面２１には、チャンネル、設定、言語などのメニュー項目が表示されている。
【００２７】
次に、リモコン１５のカーソルボタン５４を操作して、メインメニュー画面２１のメニュー項目のうち、例えば「設定」にカーソルを合わせた後、決定ボタン５５を押すと、モニタ５の画面には、図３Ｃに示すようなサブメニュー画面２２が表示される。このサブメニュー画面２２には、画面、年齢、パスワード等のメニュー項目が表示されている。「画面」は、画面の明るさやコントラスト等を設定する際に選択され、「年齢」は番組内容によって視聴制限をかける場合の年齢を設定する際に選択され、「パスワード」は視聴制限を解除する場合のパスワードを設定する際に選択される。
【００２８】
今、このサブメニュー画面２２が表示されている状態で、放送番組の主映像５ａが、図３Ｄに示すような主映像５ｂに切り替わった場合、ユーザーがこの主映像５ｂをサブメニュー画面２２に邪魔されずに見たい場合は、リモコン１５の消去ボタン５３を１回押す。すると、サブメニュー画面２２を構成するＯＳＤの透過度が１００％になって、サブメニュー画面２２は透明となり、図３Ｅに示すように画面から消える。これにより、主映像５ｂは部分的に隠れることなく、全体が表示される。
【００２９】
その後、再び放送番組の映像が切り替わって、図３Ｆに示すような主映像５ｃが表示された場合、ユーザーがこの主映像５ｃを特に必要としなければ、リモコン１５の消去ボタン５３を再度１回押す。すると、サブメニュー画面２２を構成するＯＳＤの透過度が０％になって、サブメニュー画面２２は元に戻り、図３Ｇに示すように、消去直前（図３Ｄ）のサブメニュー画面２２が主映像５ｃに重ねて表示される。このため、ユーザーは、再度リモコン１５のメニューボタン５２を操作してメインメニュー２１（図３Ｂ）を表示させ最初から操作をやり直す必要がなく、再表示されたサブメニュー画面２２において、引き続き設定を行えばよい。
【００３０】
ところで、上記のように、サブメニュー画面２２を消去した後、消去ボタン５３を再操作した場合はサブメニュー画面２２が表示されるが、消去ボタン５３を再操作するのを忘れていた場合は、ユーザーがそれに気付いて消去ボタン５３を操作するまで、メニュー項目の設定は中断されたままとなる。しかるに、本実施形態では、消去ボタン５３の再操作を忘れていても、その後にチャンネル切替えや音量の調節など、リモコン１５において何らかのボタン操作がされた時点で、図３Ｈに示すようなメッセージ画面２３が、視聴中の主映像５ｄに重畳して、ＯＳＤで表示される。
【００３１】
このメッセージ画面２３には、「設定が中断したままです。続けますか？」という警告とともに、続行するか否かの選択を促す「はい」「いいえ」ボタンが表示されている。ここで、ユーザーがリモコン１５を操作して「はい」を選択すると、図３Ｉに示すように、消去直前（図３Ｄ）のサブメニュー画面２２が主映像５ｄに重畳して再び表示され、このサブメニュー画面２２において、引き続き設定を行うことができる。この場合も、ユーザーは最初から設定をやり直す必要はない。一方、メッセージ画面２３で「いいえ」が選択された場合は、サブメニュー画面２２は表示されず、それまでの設定内容はキャンセルされる。
【００３２】
このように、本実施形態では、設定途中で消去ボタン５３が１回押されると、ＯＳＤ設定画面（ここではサブメニュー画面２２）が透明になって、主映像が設定画面で邪魔されずに表示され、その後に消去ボタン５３を再度１回押すことにより、消去直前のＯＳＤ設定画面がモニタ５に表示されるので、ユーザーは最初から設定をやり直す必要がなく、煩わしさが解消される。また、ＯＳＤ設定画面を一旦消去したことを忘れていた場合でも、次のボタン操作時にメッセージ画面２３が表示されるので、ユーザーは設定が未完了であることがわかる。そして、このメッセージ画面２３において設定続行を選択することで設定画面が再表示されるので、確実に設定を完了させることができる。
【００３３】
図４は、以上述べたＯＳＤ設定画面の消去および再表示の手順を表したフローチャートである。この手順は、メモリ１０の所定領域に格納されているプログラムに基づいて、マイコン８が実行する。
【００３４】
番組の放送が開始されると（ステップＳ１）、設定操作が行われたかどうかを監視し（ステップＳ２）、設定操作が行われなければ（ステップＳ２：ＮＯ）、ステップＳ１へ戻る。番組放送中に、リモコン１５のメニューボタン５２が押されて設定操作が行われると（ステップＳ２：ＹＥＳ）、ステップＳ３へ進んで、ＯＳＤ設定画面（今の場合、メインメニュー画面２１）をモニタ５に表示する（図３Ｂ）。そして、リモコン１５の操作による設定が終了したか否かを判定し（ステップＳ４）、設定が終了していなければ（ステップＳ４：ＮＯ）、次のステップＳ５で、リモコン１５の消去ボタン５３が押されたか否かを判定する。消去ボタン５３が押されなければ（ステップＳ５：ＮＯ）、ステップＳ３へ戻り、設定が未完了で消去ボタン５３が押されない間は、ステップＳ３〜Ｓ５を繰り返し実行する。
【００３５】
ステップＳ４で設定が完了した場合は（ステップＳ４：ＹＥＳ）、ステップＳ９へ進んで、設定内容に応じた処理を実行した後、ステップＳ１へ戻る。また、設定が完了しない状態で（ステップＳ４：ＮＯ）、消去ボタン５３が押されると（ステップＳ５：ＹＥＳ）、ステップＳ６へ進み、ＯＳＤ設定画面の透過度を１００％として、設定画面を透明にし不可視化する（図３Ｅ）。このとき、それまでの設定情報は、消去されずにメモリ１０にそのまま保持されている。
【００３６】
その後、リモコン１５の消去ボタン５３が再度押されたか否かを監視し（ステップＳ７）、押されなければ（ステップＳ７：ＮＯ）、他のいずれかのボタンが押されたか否かを監視し（ステップＳ１０ａ）、他のボタンも押されなければ（ステップＳ１０ａ：ＮＯ）、ステップＳ７へ戻って、ボタン操作があるまでステップＳ７、Ｓ１０ａを繰り返し実行する。
【００３７】
ステップＳ７において、消去ボタン５３が再度押されると（ステップＳ７：ＹＥＳ）、ステップＳ８へ進み、消去直前のＯＳＤ設定画面をモニタ５に表示する（図３Ｇ）。そして、ステップＳ４へ戻り、設定が終了していない場合は（ステップＳ４：ＮＯ）、ステップＳ５、Ｓ３、Ｓ４を繰り返し実行し、設定が終了した場合は（ステップＳ４：ＹＥＳ）、ステップＳ９を実行した後にステップＳ１へ戻る。
【００３８】
また、ステップＳ７において、消去ボタン５３が再度押されないまま（ステップＳ７：ＮＯ）、他のいずれかのボタンが押されると（ステップＳ１０ａ：ＹＥＳ）、ステップＳ１１へ進んで、モニタ５にメッセージ画面２３を表示して警告を行う（図３Ｈ）。そして、設定を続行するか否かを判定する（ステップＳ１２）。図３Ｈのメッセージ画面２３において「はい」が選択されると、設定を続行すると判断して（ステップＳ１２：ＹＥＳ）、ステップＳ８へ進み、消去直前のＯＳＤ設定画面をモニタ５に表示する（図３Ｉ）。そして、ステップＳ４へ戻り、以降は前述した手順を実行する。一方、図３Ｈのメッセージ画面２３において「いいえ」が選択された場合は、設定を続行しないと判断して（ステップＳ１２：ＮＯ）、設定をキャンセルする（ステップＳ１３）。このとき、メモリ１０に保持されているそれまでの設定情報は消去される。ステップＳ１３を実行した後は、ステップＳ１へ戻り、前述した手順を実行する。
【００３９】
図５は、本発明の他の実施形態を示したフローチャートである。本実施形態では、図４のステップＳ１０ａが、ステップＳ１０ｂに置き換わっている。ステップＳ１０ｂでは、ＯＳＤ設定画面が消去されてから、所定時間が経過したか否かが判定される。時間の計測は、例えばマイコン８に内蔵されているタイマー（図示省略）によって行われる。そして、所定時間が経過した時点で（ステップＳ１０ｂ：ＹＥＳ）、モニタ５にメッセージ画面２３が表示され（ステップＳ１１）、設定続行を選択することで（ステップＳ１２：ＹＥＳ）、ＯＳＤ設定画面が表示される（ステップＳ８）。その他のステップについては、図４と同じであるので、重複説明は省略する。
【００４０】
本実施形態によると、ＯＳＤ設定画面を一旦消去したことを忘れていた場合、その後に何も操作がされなくても、一定時間が経つと自動的にメッセージ画面２３が表示されるので、ユーザーは設定が未完了であることがわかる。そして、このメッセージ画面２３において設定続行を選択することで設定画面が再表示されるので、確実に設定を完了させることができる。
【００４１】
図６は本発明のさらに他の実施形態を示したフローチャートである。本実施形態では、図４のステップＳ１０ａが、ステップＳ１０ｃに置き換わっている。ステップＳ１０ｃでは、ＯＳＤ設定画面が消去された後に放送内容に変更があったか否かが判定される。放送内容の変更としては、例えば、番組の中でコマーシャルが入った場合が考えられる。コマーシャルへ移行したことを検知するには、音声多重モードへの切り替えを検出する方法（例えば、特許第２８５８７５８号公報）や、無音区間とシーンチェンジを利用して検出する方法（例えば、特公平６−６６７３８号公報）など、公知の方法を用いることができる。そして、放送内容に変更があった時点で（ステップＳ１０ｃ：ＹＥＳ）、モニタ５にメッセージ画面２３が表示され（ステップＳ１１）、設定続行を選択することで（ステップＳ１２：ＹＥＳ）、ＯＳＤ設定画面が表示される（ステップＳ８）。その他のステップについては、図４と同じであるので、重複説明は省略する。
【００４２】
本実施形態によると、ＯＳＤ設定画面を一旦消去したことを忘れていても、放送内容に変更があった際に、自動的にメッセージ画面２３が表示されるので、ユーザーは設定が未完了であることがわかる。そして、このメッセージ画面２３において設定続行を選択することで設定画面が再表示されるので、確実に設定を完了させることができる。
【００４３】
本発明では、以上述べた以外にも種々の実施形態を採用することができる。例えば、上記実施形態では、ＯＳＤ設定画面を消去する場合に、画面を完全に透明にして不可視化したが、図７に示すように、ＯＳＤ設定画面が消去されている間、設定画面の輪郭３０だけを目立たない色で表示して、ユーザーに設定が未完了であることを報知するようにしてもよい。
【００４４】
また、上記各実施形態では、所定のタイミングに至った時に（ステップＳ１０ａ〜１０ｃ）、まずメッセージ画面２３を表示し（ステップＳ１１）、当該画面において設定続行の有無を選択させた後に（ステップＳ１２）、ＯＳＤ設定画面を再表示するようにしたが（ステップＳ８）、ステップＳ１１、Ｓ１２を省略して、所定のタイミングに至った時に、ただちにＯＳＤ設定画面を再表示するようにしてもよい。
【００４５】
また、図４〜図６の実施形態を統合して、ステップＳ７で消去ボタン５３が再度操作されない場合に、（１）消去ボタン５３以外のいずれかのボタンが操作されたこと、（２）ＯＳＤ設定画面が消去されてから一定時間が経過したこと、（３）ＯＳＤ設定画面が消去された後に放送内容に変更があったこと、のいずれかの条件が成立した時点で、メッセージ画面２３を表示したり、あるいは直接ＯＳＤ設定画面を再表示するような仕様を採用してもよい。
【００４６】
さらに、上記実施形態では、映像機器の例としてテレビを例に挙げたが、本発明はテレビに限らず、ＤＶＤレコーダのような他の映像機器にも適用が可能である。
【図面の簡単な説明】
【００４７】
【図１】本発明に係るテレビジョン受像機の一例を示すブロック図である。
【図２】リモコンの一例を示した外観図である。
【図３Ａ】モニタ画面の表示例である。
【図３Ｂ】モニタ画面の表示例である。
【図３Ｃ】モニタ画面の表示例である。
【図３Ｄ】モニタ画面の表示例である。
【図３Ｅ】モニタ画面の表示例である。
【図３Ｆ】モニタ画面の表示例である。
【図３Ｇ】モニタ画面の表示例である。
【図３Ｈ】モニタ画面の表示例である。
【図３Ｉ】モニタ画面の表示例である。
【図４】ＯＳＤ設定画面の消去および再表示の手順を表したフローチャートである。
【図５】他の実施形態を示すフローチャートである。
【図６】他の実施形態を示すフローチャートである。
【図７】他の実施形態を示すモニタ画面の表示例である。
【符号の説明】
【００４８】
２  チューナ
３  信号処理部
４  ＬＣＤ駆動部
５  モニタ
８  マイクロコンピュータ
１２  操作部
１４  ＯＳＤ処理部
１５  リモコン
２１  メインメニュー画面
２２  サブメニュー画面
２３  メッセージ画面
５３  消去ボタン
１００  テレビジョン受像機
【図１】
2008294868.tif 000003
【図２】
2008294868.tif 000004
【図３Ａ】
2008294868.tif 000005
【図３Ｂ】
2008294868.tif 000006
【図３Ｃ】
2008294868.tif 000007
【図３Ｄ】
2008294868.tif 000008
【図３Ｅ】
2008294868.tif 000009
【図３Ｆ】
2008294868.tif 000010
【図３Ｇ】
2008294868.tif 000011
【図３Ｈ】
2008294868.tif 000012
【図３Ｉ】
2008294868.tif 000013
【図４】
2008294868.tif 000014
【図５】
2008294868.tif 000015
【図６】
2008294868.tif 000016
【図７】
2008294868.tif 000017